(57)【要約】【課題】  氷菓子の充填が容易で、かつ単一の素材で製造可能な氷菓子容器を提供する。【解決手段】  容器体の底壁３周縁に破断線３ａを設けると共に、周壁２の外周面下端を周方向への第１突条部５に形成すると共に、周壁外周面に上下方向への第２突条部６を形成して、該第２突条部６の下端を前記第１突条部５へ、かつ上端を周壁２上端へ、それぞれ到達させると共に、前記第１および第２突条部を除いた周壁部分外周面にラベル７を接着し、かつ前記第２突条部側面と対向するラベル端部を非接着部８とし、前記容器体周壁２に切欠部４を設けて前記ラベル端部の一部を前記切欠部４内へ露出させて指掛け部となし、該指掛け部９を介してラベルを周方向へ引くことで、前記容器体周壁が前記底壁から破断分離可能に設けた。【選択図】  図１
2011116384.tif 000002
【特許請求の範囲】
【請求項１】
容器体の底壁３周縁に破断線３ａを設けると共に、周壁２の全周面にラベル７を接着させ、かつ該ラベルの一部を切除して、該ラベルの上下両端に達する長さの切除部１０を設けると共に、該切除部の一端を指掛け部９に連設し、
該指掛け部を介してラベルが接着された周壁２を周方向へ引くことで、前記容器体周壁が前記底壁から破断分離可能に設けたことを特徴とする氷菓子容器。
【請求項２】
容器体の底壁３周縁に破断線３ａを設けると共に、周壁２の下端外周面から径方向外方に突出する第１突条部５を周設すると共に、周壁外周面に上下方向に延び、径方向外方に突出する第２突条部６を形成して、該第２突条部６の下端を前記第１突条部５へ、かつ上端を周壁２上端へ、それぞれ到達させると共に、前記第１および第２突条部を除いた周壁部分外周面にラベル７を接着し、かつ前記第２突条部側面と対向するラベル端部を非接着部８とし、前記容器体周壁２に切欠部４を設けて前記ラベル端部の一部を前記切欠部４内へ露出させて指掛け部となし、
該指掛け部９を介してラベルが接着された周壁２を周方向へ引くことで、前記容器体周壁が前記底壁から破断分離可能に設けたことを特徴とする氷菓子容器。
【請求項３】
前記切欠部を前記容器体底壁より下方の周壁部分に設けると共に、第２突条部の下端を前記切欠部の一端へ到達させたことを特徴とする請求項２記載の氷菓子容器。
【請求項４】
容器体の底壁３周縁に破断線３ａを設けると共に、周壁２外周面に上下方向への突条部２５を形成して、該突条部の上端を前記周壁の上端へ、かつ該突条部の下端を前記周壁の下端へ、それぞれ到達させると共に、前記突条部を除いた周壁外周面にラベル７を接着し、かつ前記突条部側面と対向するラベル端部を非接着部８とし、さらに前記周壁２上端を外方へ屈曲して屈曲部２６に形成し、前記突条部の上端に隣接する屈曲部に摘みを突設して指掛け部９となし、
該指掛け部を介してラベルが接着された周壁を周方向へ引くことで、前記容器体周壁が前記底壁から破断分離可能に設けたことを特徴とする氷菓子容器。
【請求項５】
前記第２突条部６または突条部２５を螺旋状に形成したことを特徴とする請求項１ないし４のいずれか１項記載の氷菓子容器。
【請求項６】
前記破断線３ａは薄肉部からなることを特徴とする請求項１ないし５のいずれか１項記載の氷菓子容器。
【請求項７】
氷菓子用受皿の中央部へ棒状体を貫設させると共に、前記受皿周縁に氷菓子容器の容器体周壁２の開口端が嵌合可能な嵌合部を設けたことを特徴とする請求項1ないし６のいずれか１項記載の氷菓子容器。
【請求項８】
前記容器体底壁３を氷菓子用受皿となし、該受皿の中央部へ棒状体を貫設させたことを特徴とする請求項１ないし６のいずれか１項記載の氷菓子容器。
【発明の詳細な説明】
【技術分野】
【０００１】
本発明はアイスクリーム等の氷菓子を収納可能な氷菓子容器に関する。
【背景技術】
【０００２】
紙製からなる氷菓子容器が従来技術して知られている。
【先行技術文献】
【特許文献】
【０００３】
【特許文献１】特開２００１−１７１６４３号公報
【発明の概要】
【発明が解決しようとする課題】
【０００４】
しかしながら、従来技術は容器の素材が紙であるから、氷菓子の充填工程の簡素化が容易ではなく、また氷菓子を保持するための把持棒が付いたものでは、容器と把持棒との素材が異なるため製造工程が多少複雑という課題がある。
【０００５】
本発明は、上記課題を解決するためになされたもので、氷菓子の充填が容易で、かつ単一の素材で製造可能な氷菓子容器を提供することを目的とする。
【課題を解決するための手段】
【０００６】
上記課題を解決するために、本発明は、容器体の底壁３周縁に破断線３ａを設けると共に、周壁２の全周面にラベル７を接着させ、かつ該ラベルの一部を切除して、該ラベルの上下両端に達する長さの切除部１０を設けると共に、該切除部の一端を指掛け部９に連設し、
該指掛け部を介してラベルが接着された周壁を周方向へ引くことで、前記容器体周壁が前記底壁から破断分離可能に設けたことを特徴とする。
【０００７】
また、本発明は、容器体の底壁周縁に破断線３ａを設けると共に、周壁の下端外周面から径方向外方に突出する第１突条部５を周設すると共に、周壁外周面に上下方向に延び、径方向外方に突出する第２突条部６を形成して、該第２突条部６の下端を前記第１突条部５へ、かつ上端を周壁２上端へ、それぞれ到達させると共に、前記第１および第２突条部を除いた周壁部分外周面にラベル７を接着し、かつ前記第２突条部側面と対向するラベル端部を非接着部８とし、前記容器体周壁に切欠部４を設けて前記ラベル端部の一部を前記切欠部４内へ露出させて指掛け部となし、
該指掛け部９を介してラベルが接着された周壁を周方向へ引くことで、前記容器体周壁が前記底壁から破断分離可能に設けたことを特徴とする。
【０００８】
さらに、本発明は、前記切欠部を前記容器体底壁より下方の周壁部分に設けると共に、第２突条部の下端を前記切欠部の一端へ到達させたことを特徴とする。
【０００９】
さらに、本発明は、容器体の底壁３周縁に破断線３ａを設けると共に、周壁２外周面に上下方向への突条部２５を形成して、該突条部の上端を前記周壁の上端へ、かつ該突条部の下端を前記周壁の下端へ、それぞれ到達させると共に、前記突条部を除いた周壁外周面にラベル７を接着し、かつ前記突条部側面と対向するラベル端部を非接着部８とし、さらに前記周壁２上端を外方へ屈曲して屈曲部に形成し、前記突条部の上端に隣接する屈曲部に摘みを突設して指掛け部９となし、
該指掛け部を介してラベルが接着された周壁を周方向へ引くことで、前記容器体周壁が前記底壁から破断分離可能に設けたことを特徴とする。
【００１０】
さらに、本発明は、前記第２突条部６または突条部を螺旋状に形成したことを特徴とする。
【００１１】
さらに、本発明は、前記破断線３ａは薄肉部からなることを特徴とする。
【００１２】
さらに、本発明は、氷菓子用受皿の中央部へ棒状体を貫設させると共に、前記受皿周縁に氷菓子容器の容器体周壁２の開口端が嵌合可能な嵌合部２３を設けたことを特徴とする。
【００１３】
さらに、本発明は、前記容器体底壁３を氷菓子用受皿となし、該受皿の中央部へ棒状体を貫設させたことを特徴とする。
【発明の効果】
【００１４】
本発明は、ラベル端部（端面）を非接着部とすることを利用して、容器体周壁が底壁から破断分離可能に設けたので、容器を合成樹脂製とすることができ、したがって、容器構成、及び充填工程の簡素化を図ることができる。
【００１５】
また、本発明は、容器体周壁と氷菓子受皿とを一体に構成できるため、これらを合成樹脂で一体成形可能であり、したがって、単一素材で製造することができる。
【図面の簡単な説明】
【００１６】
【図１】本発明に係る氷菓子容器の第１実施形態を示す半断面図である。
【図２】図１の斜視図である。
【図３】底壁の破断線を示す拡大図である。
【図４】図１のＡ−Ａ線に沿う断面図（概念図）である。
【図５】作用説明図である。
【図６】第２実施形態の半断面図である。
【図７】底壁の破断線を示す拡大図である。
【図８】図６の斜視図である。
【図９】作用説明図である。
【発明を実施するための形態】
【００１７】
以下、本発明の実施の形態について、図面を参照しながら詳細に説明する。
【００１８】
図１ないし図５は第１実施形態を示す。１は容器体で、周壁２の下端部を底壁３より下方へ突出させると共に、底壁３の周縁に薄肉部からなる破断線３ａを設ける。
【００１９】
容器体周壁２の下端部に切欠部４を形成すると共に、容器体周壁２の下端における外周面から径方向外方に突出して第１突条部５に形成すると共に、周壁外周面に上下方向に延び、径方向外方に突出する第２突条部６を螺旋状に形成して、該第２突条部の下端を切欠部４へ、かつ上端を容器体周壁２上端へ、それぞれ到達させると共に、第１および第２突条部５、６を除いた周壁２部分外周面にラベル７を接着し、かつ第２突条部６の一側面と対向するラベル７の一端部を非接着部８として、ラベル端部の一部を切欠部４内へ露出させて指掛け部９となす。
前記切欠部４は、前記周壁２の下端を、下方に向けて開放するコ字状に切欠いて形成されている。
【００２０】
具体的には、金型内にラベルを配置した後、低密度ポリエチレンなどを材料として、容器体１を射出成形する、所謂インモールド成形によりラベル７を第１および第２突条部５、６を除いた周壁２部分外周面に接着するが、その際、第２突条部６の一側面と対向するラベル７の一端部は接着しないようにすると共に、ラベル端部の一部が切欠部４内へ露出されるようにする。このようにラベル７は第２突条部６により分離されているため、ラベル７の両端部間は切除部１０を構成する。
【００２１】
２０は氷菓子用受皿で、該受皿の中央部に棒状体２１が貫設させていると共に、受皿周縁から嵌合筒２２を垂下させて容器体周壁２上端が嵌合可能な嵌合部２３が形成されている。製造に際しては、容器体１の底壁を下方に位置させた状態で、当該容器体内１に氷菓子の流動物を充填した後、受皿２０を容器体１の開口部に装着する。このとき、棒状体２１の一半部が前記流動物内へ挿入され、容器体周壁２上端が嵌合部２３に嵌着される。この状態で流動物を固化させて氷菓子容器を製造する。これを食べる際には、容器体の底壁を上方に位置させ、受皿２０で区切られる棒状体２１の他半部を把持部として使用する。
【００２２】
さたに、氷菓子を食する場合について説明する。ラベル７の一端部（端面）は非接着部８とされているから、指掛け部９を介してラベルが接着された周壁を周方向に引くことによって、周壁２を上下方向に破断するための起点となる。
また、底壁３に破断線３ａが設けられているから、容器体周壁２が底壁３から破断分離する。
底壁３と周壁２とは、全周に亘って破断線３ａを介して接続されていても良いし、一部分を非破断部に形成してもよい。
【００２３】
図６ないし図９は第２実施形態を示す。本実施形態では、指掛け部９を切欠部４で構成することなく、突条部２５の上端近傍に指掛け部９を設ける。すなわち、容器体の底壁３周縁に破断線３ａを設けると共に、周壁２外周面に上下方向に延び、径方向外方に突出する突条部２５を形成して、該突条部の上端を周壁２の上端へ、かつ該突条部の下端を周壁２の下端へ、それぞれ到達させると共に、突条部２５を除いた周壁外周面にラベル７を接着する。また、突条部２５側面と対向するラベル端部（端面）を非接着部８とし、さらに周壁２上端を外方へ屈曲して断面横向きＬ字状の屈曲部（フランジ部）２６に形成し、突条部２５の上端に隣接する屈曲部に摘みを突設して指掛け部９となしている。また、容器体底壁３を氷菓子用受皿３０となし、該受皿の中央部へ棒状体３１を貫設させている。製造に際しては、容器体１内に氷菓子を充填した後、容器体周壁２上面を蓋３２で閉塞する。
【００２４】
上記のように、ラベル７の一端部（端面）は非接着部８とされているから、指掛け部９を把持してラベル７が接着された周壁を周方向へ引くことによって、この非接着部が起点となり、周壁２が上下方向に破断される。また、底壁３に破断線３ａが設けられているから、容器体周壁２が底壁３から破断分離する。
【００２５】
本発明は、前述の実施形態に限定されることなく、本発明の趣旨を逸脱しない範囲において種々の変更を加えることが可能である。
例えば、突条部６、２５が周壁上下端に到達しないように形成することも可能である。
また、第一の実施形態における嵌合部２３として、フランジ状部分を形成して、該フランジ状部分上面に容器体の周壁端面を載置するように構成したが、容器体にも同様のフランジ部分を形成し、フランジ部分同士を当接させるように構成してもよい。
【産業上の利用可能性】
【００２６】
本発明は、アイスクリームないしソフトクリーム等の氷菓子を収納するのに使用される氷菓子容器の分野に利用することができる。
【符号の説明】
【００２７】
２  周壁
３  底壁
３ａ  破断線
４  切欠部
５  第１突条部
６  第２突条部６
７  ラベル
８  非接着部
９  指掛け部
１０  切除部
２０  氷菓子用受皿
２１  棒状体
２３  嵌合部
３０  氷菓子用受皿
３１  棒状体
【図１】
2011116384.tif 000003
【図２】
2011116384.tif 000004
【図３】
2011116384.tif 000005
【図４】
2011116384.tif 000006
【図５】
2011116384.tif 000007
【図６】
2011116384.tif 000008
【図７】
2011116384.tif 000009
【図８】
2011116384.tif 000010
【図９】
2011116384.tif 000011